(57)【要約】【課題】輸送や保管や片付けを省スペースで行うことのできるロッカ装置を提供する。【解決手段】テーパ状の周壁７ａ〜７ｄを有する複数のボックス４と、各ボックスに着脱可能に装着される扉６と、各ボックスを一列に組み付ける枠体３と、各扉に対して枠体に組み付けられる施解錠用のケーシング１２とでロッカユニット１を構成し、ロッカユニットを複数連結してロッカ装置３１を構成する。ボックスを枠体にスライド式に着脱する。各ボックスを一つずつ分離した。周壁のうちの底壁７ｂ’を水平に形成した。ケーシングを配置した枠体の垂直部分１３とボックスの外側部分とで硬貨通路を形成した。枠体にロッカユニット相互の連結部分２４，２４’を設けた。枠体の両側に支持脚１９，２０を設け、組立時に隣接するロッカユニットの各支持脚を高さ方向に重ねて配置した。【選択図】図１
2007265132.tif 000002
【特許請求の範囲】
【請求項１】
テーパ状の周壁を有する複数のボックスと、各ボックスに着脱可能に装着される扉と、該複数のボックスを一列に組み付ける枠体と、各扉に対して該枠体に組み付けられる施解錠用のケーシングとでロッカユニットが構成され、該ロッカユニットを複数連結して構成されることを特徴とするロッカ装置。
【請求項２】
前記複数のボックスが前記枠体にスライド式に着脱されることを特徴とする請求項１記載のロッカ装置。
【請求項３】
前記複数のボックスが一つずつ分離されたことを特徴とする請求項１又は２記載のロッカ装置。
【請求項４】
前記周壁のうちの底壁のみが傾斜なく水平に形成されたことを特徴とする請求項１〜３の何れかに記載のロッカ装置。
【請求項５】
前記ケーシングを配置した前記枠体の垂直部分と前記ボックスの外側部分とで硬貨通路が形成されることを特徴とする請求項１〜４の何れかに記載のロッカ装置。
【請求項６】
前記枠体にロッカユニット相互の連結部分が設けられたことを特徴とする請求項１〜５の何れかに記載のロッカ装置。
【請求項７】
前記枠体の両側に支持脚が設けられ、組立時に隣接する前記ロッカユニットの各支持脚が高さ方向に重なって位置することを特徴とする請求項１〜６の何れかに記載のロッカ装置。
【発明の詳細な説明】
【技術分野】
【０００１】
本発明は、例えばイベント会場等で組み立てて使用され、撤収時等に省スペースで片付けることのできるロッカ装置に関するものである。
【背景技術】
【０００２】
図１３は、従来のロッカ装置の一形態を示すものである（特許文献１参照）。
【０００３】
このロッカ装置６１は、複数の収容室とそれを塞ぐ扉６２を上下左右に並列に有し、各収容室は水平な隔壁と垂直な隔壁６３とで区画され、垂直な隔壁６３の間において各扉６２ごとに施解錠用のケーシング６４を備え、且つ上下の各ケーシング６４に沿って硬貨通路を有し、装置底部側に硬貨回収機構６５を備えたものである。
【０００４】
ケーシング６４はケースの内側に、扉６２をロックするロック部を含むシリンダ錠６６を備えたものであり、ケースの上部に硬貨投入口６７、下部に硬貨返却口６８をそれぞれ有している。扉６２は取っ手で外側に開く。硬貨回収機構６５はモータ駆動のベルト７０と硬貨ガイド７１と回収箱７２とを備えている。
【０００５】
施解錠用のケーシング６４に関しては、例えば特許文献２に一例が開示されている。
【０００６】
このケーシング（図示せず）は、硬貨投入口の後方に硬貨検知ピンを有する昇降レバーをばねで下向きに付勢して配置し、昇降レバーの下端の上側に駆動レバーを配置し、駆動レバーを小レバーとの間で引張ばねで付勢し、これら三つのレバーを共通ピンで軸支し、駆動レバーの上側に硬貨選択レバーを軸支して配置し、選択レバーは前側に硬貨阻止ピン、後側に当接端をそれぞれ有してばねで反時計回りに付勢され、当接端の下側に回動阻止レバーをばねで時計回りに付勢しつつ軸支して構成されている。
【０００７】
回動阻止レバーは上下端に各当接片、下側中間部に硬貨押接ピンをそれぞれ有し、下端の当接片の側方に施錠レバーを左右方向に揺動自在に配置し、施錠レバーの中間部をシリンダ錠に連結し、シリンダ錠はロッドの後端に回動板を有し、回動板を側部の押圧端で硬貨保持板に押接させ、保持板は落下阻止ピンを有して軸を支点にばねで開き方向に付勢されている。
【特許文献１】特開平８−８３３７８号公報（図１）
【特許文献２】特公平６−１０３５１５号公報（図１２）
【発明の開示】
【発明が解決しようとする課題】
【０００８】
しかしながら、上記従来のロッカ装置６１にあっては、例えばイベント会場等で一時的に使用する際に、イベント会場等へのトラック等での輸送時やイベント会場等での使用後の回収に大きなスペースを必要とし、輸送を何度も繰り返したり、大きなスペースの保管用の倉庫等を確保しなければならないといった問題があった。
【０００９】
本発明は、上記した点に鑑み、輸送や保管や片付けを省スペースで行うことができ、それに加えて組立や分解の容易なロッカ装置を提供することを目的とする。
【課題を解決するための手段】
【００１０】
上記目的を達成するために、本発明の請求項１に係るロッカ装置は、テーパ状の周壁を有する複数のボックスと、各ボックスに着脱可能に装着される扉と、該複数のボックスを一列に組み付ける枠体と、各扉に対して該枠体に組み付けられる施解錠用のケーシングとでロッカユニットが構成され、該ロッカユニットを複数連結して構成されることを特徴とする。
【００１１】
上記構成により、各ボックスに各扉が装着され、各ボックスが枠体に一列に組み付けられ（枠体に組み付け後に扉を装着することも可能）、各扉に対応して枠体に施解錠用のケーシングが取り付けられて、一つの長形のロッカユニットが構成され、各ロッカユニットを短形方向に連結して一つのロッカ装置が構成される。ロッカ装置の撤収（未使用）時には、各扉を外した一のロッカユニットに他のロッカユニットを重ねることで、一のロッカユニットのボックスの開口内に他のロッカユニットのボックスが収容され、各枠体は重ね方向に積み上げられて、ロッカ装置が省スペースで回収保管される。ボックスのテーパ状の周壁は上下左右の全ての壁部がテーパ状（傾斜状）であってもよく、下側（底側）の壁部のみがテーパ状ではなく水平であってもよい。各ボックスは一体に連結されていてもよく、一つずつ分離されていてもよい。
【００１２】
請求項２に係るロッカ装置は、請求項１記載のロッカ装置において、前記複数のボックスが前記枠体にスライド式に着脱されることを特徴とする。
【００１３】
上記構成により、枠体へのボックスの組付と枠体からのボックスの離脱が容易に行われる。
【００１４】
請求項３に係るロッカ装置は、請求項１又は２記載のロッカ装置において、前記複数のボックスが一つずつ分離されたことを特徴とする。
【００１５】
上記構成により、ボックスの樹脂成形が容易化する。また、撤収時等に枠体からケーシングを外せば、複数のボックスを１つずつ重ね合わせて省スペースで収容することができる。
【００１６】
請求項４に係るロッカ装置は、請求項１〜３の何れかに記載のロッカ装置において、前記周壁のうちの底壁のみが傾斜なく水平に形成されたことを特徴とする。
【００１７】
上記構成により、ボックスの収容室の底壁が水平であるから、手荷物等が安定性よく収容される。
【００１８】
請求項５に係るロッカ装置は、請求項１〜４の何れかに記載のロッカ装置において、前記ケーシングを配置した前記枠体の垂直部分と前記ボックスの外側部分とで硬貨通路が形成されることを特徴とする。
【００１９】
上記構成により、ケーシング内に投入された硬貨は枠体の垂直部分の内側の硬貨通路を落下して集金ボックスに回収される。硬貨通路は枠体に各ボックスを組み付けることで自動的に形成される。ボックスの外側部分はケーシング収容開口を除いて垂直な平行壁部であることが好ましく、この外側部分を枠体の垂直部分で覆うようにする。集金ボックスはロッカユニットごとに硬貨通路に連通して枠体の底部に配置することが好ましい。各枠体の底部を貫通連結させてベルト等の硬貨回収機構を配置することも可能ではある。
【００２０】
請求項６に係るロッカ装置は、請求項１〜５の何れかに記載のロッカ装置において、前記枠体にロッカユニット相互の連結部分が設けられたことを特徴とする。
【００２１】
上記構成により、各ロッカユニットの枠体が連結部分で相互に並列に連結され、それにより複数列のロッカユニットでなるロッカ装置が構成される。連結部分は枠体の例えば垂直部分の側面に耳状に突出させた壁部を相互にねじ締めする等で構成される。枠体は金属材で形成することが好ましい。
【００２２】
請求項７に係るロッカ装置は、請求項１〜６の何れかに記載のロッカ装置において、前記枠体の両側に支持脚が設けられ、組立時に隣接する前記ロッカユニットの各支持脚が高さ方向に重なって位置することを特徴とする。
【００２３】
上記構成により、各ロッカユニットを並列に連結した際に、隣接する一方のロッカユニットの支持脚と他方のロッカユニットの支持脚とが板厚方向ではなく高さ方向に重なることで、各ロッカユニット間が省スペース化される。
【発明の効果】
【００２４】
請求項１記載の発明によれば、ロッカ装置の撤収時に各ロッカユニットのボックス同士を重ね合わせることで、ロッカ装置を省スペースで回収且つ保管することができ、ロッカ装置の輸送や保管を低コストで効率良く行うことができる。
【００２５】
請求項２記載の発明によれば、枠体に対する各ボックスの着脱を容易に行うことができ、組付作業性及び分解作業性が向上する。
【００２６】
請求項３記載の発明によれば、ボックスを１つずつ重ねることで輸送時や撤収時等に一層省スペースに片付けることができる。
【００２７】
請求項４記載の発明によれば、ロッカ使用者が手荷物等を従来同様に安定性よくボックス内に収納することができる。
【００２８】
請求項５記載の発明によれば、枠体に各ボックスを組み付けることで自動的に硬貨通路が形成されるから、ロッカ装置の組立及び分解作業性が向上する。
【００２９】
請求項６記載の発明によれば、各枠体を相互に連結及び連結解除することで、ロッカユニット相互の連結及び分離を容易に且つ確実に行うことができる。
【００３０】
請求項７記載の発明によれば、各ロッカユニット間の隙間を狭くすることで、ロッカ装置の小型化及び設置場所の省スペース化を図ることができる。
【発明を実施するための最良の形態】
【００３１】
図１は、本発明に係るロッカ装置を構成するロッカユニットの一実施形態、図２はロッカユニットから施解錠用のケーシングと枠体（フレーム）を外した状態のロッカユニット本体の一実施形態、図３は枠体の一実施形態をそれぞれ示すものである。
【００３２】
図１の如く、ロッカ装置を構成する各ロッカユニット１は、合成樹脂製のロッカユニット本体２と、ロッカユニット本体２に装着される金属製の枠体３とで構成され、ロッカユニット本体２は、手荷物等の保管品を入れる各収容室５を有する複数のボックス４と、各ボックス４に着脱自在に設けられ、各収容室５を塞ぐ各扉６とを上下方向に並列に配置して構成されている。
【００３３】
図２の如く、各ボックス４は、水平方向の上下の壁部（周壁）７ａ，７ｂと、垂直方向の左右の壁部（周壁）７ｃ，７ｄと、背壁７ｅとで五方向を囲まれて構成され、各壁部７で囲まれた内側に収容室（空間）５を有している。保管品を置く下側の壁部（底壁）７ｂは傾斜なく水平に形成され、上壁７ａと左右の側壁７ｃ，７ｄとはテーパ状に傾斜している。枠体３に対応して位置する各周壁７ａ〜７ｄの開口部側の部分７ｆは傾斜せずに矩形枠状に形成されている。なお、明細書中で上下左右とはロッカユニット１の設置時の方向である。
【００３４】
各ボックス４はロッカユニット１ごとに一体樹脂成形で上下に連続させてもよいが、各ボックス４を個別に樹脂成形し、枠体３（図１）に組み付けることで連結させることが、成形金型の小型化や各ボックス４の撤収時等の収納性の面から好ましい。図１では各ボックス４に扉６を装着し、図２では一部のみに扉６を装着した状態を示している。
【００３５】
図２の如く、各ボックス４の一側部（右側）に硬貨通路をなす垂直な前後の平行な壁部（外側部分）８，９が形成され、前側の壁部８にケーシング露出用の開口１０が形成され、前側の壁部８の内側の上下にケーシング位置決め用の凸壁１１が設けられ、下側の凸壁１１は傾斜状の硬貨ガイド面１１ａを有し、硬貨ガイド面１１ａは後側の垂直で真直な壁部９との間の硬貨通路に続いている。
【００３６】
施解錠用のケーシング１２の基本構造はシリンダ錠を有する既存のものである。硬貨通路は、各ボックス４の外側部分である前後の壁部８，９が枠体３の垂直方向の壁部（垂直部分）１３（図１）で覆われて構成される。硬貨通路は、枠体３の底部側に配設された集金ボックス１４（図１）に連通している（連通部を符号１５で示す）。
【００３７】
図３に示す如く、枠体３は、左右の長辺側の壁部１３，１３’と、各ボックス４の上下の壁部７ａ，７ｂの接合部分に対応する水平部分である短辺側の壁部１６と、上端と下端の水平な壁部１７，１８と、左右の壁部１３の下部側において斜め下向きに設けられた一対の支持脚１９，２０とで構成されている。
【００３８】
右側の垂直な壁部１３にはケーシング１２（図１）を収容する開口２１が設けられている。図２のロッカユニット本体２の扉側の外周部に枠体３が嵌合され、開口２１内にケーシング１２が装着されて、ねじ締め等で固定される。
【００３９】
図３の如く、枠体３の上端は開口し（開口を符号２２で示す）、左右の長形な壁部１３，１３’は断面フック状（略コの字状）に形成されており、枠体３はロッカユニット本体２（図２）の左右のガイド壁である突出した壁部８，９，２３に沿って上下方向にスライド式に装着され、ねじ締め等で固定される。長形な壁部１３，１３’を断面フック状ではなく断面Ｌ字状に形成し、枠体３を扉側から被せるようにロッカユニット本体２に装着するようにすることも可能である。
【００４０】
支持脚１９，２０は左右で長さが異なっている（下端１９ａ，２０ａの位置と傾斜角度は同じである）。また、垂直方向の壁部１３，１３’の上端側に耳部状の連結用の壁部（連結部分）２４，２４’が形成され、各枠体３の連結用の壁部２４，２４’が前後方向に重なってねじ締めで相互に固定される（図９でボルトを符号２５で示す。図９の例では下側にも連結用の壁部２４，２４’がある）。
【００４１】
連結用の壁部２４の左右方向の厚みＴは支持脚１９の厚みと同等かそれよりも少し厚い程度である。枠体３の下端側の水平な壁部１８には集金ボックス１４（図１）を収容固定するための空間２６が設けられている。
【００４２】
図４（縦断面図）〜図５（側面図）に示す如く、各ボックス４が底壁７ｂを除きテーパ状に形成されているから、ロッカ装置３１（図９）の撤収時等に、扉６（図１）を外した状態で各ボックス４同士を前後方向に重ね合わせて省スペースに収容することができる。各枠体３は前後方向に近接して重なり、後側の枠体３の前面の突起４２（図３）が前側の枠体３の後面に当接する。図４，図５で正確には各枠体３とその支持脚１９，２０はボックス４の底壁７ｂの厚み分だけ上下方向に位置ずれ（平行移動）する。左右の支持脚１９，２０は上下方向に非対称にずれて位置する。
【００４３】
図６は、個別のボックス４に扉６（図７）を装着した状態を示すものであり、扉６は上下のヒンジである軸部２７でボックス４の上下の壁部７ａ，７ｂの開口側の部分７ｆに回動自在に支持される。各軸部２７はコイルばね等（図示せず）の付勢力で外向きに突出しており、収容室５側からばねを圧縮して軸部２７を内向きに引っ込めることで、扉６をボックス４に対して簡単に着脱することができる。扉６は外向きに開く。合成樹脂製の扉６は内側のリブ３２（図７）で補強されている。符号３３は取っ手である。
【００４４】
図８（ａ）（ｂ）は、扉６に対応して枠体３に固定されるケーシングの一形態を示すものである。このケーシング１２は、金属製の略Ｌ字状に屈曲されたケース本体３４と、ケース本体３４の上下に配設された管理錠３５とシリンダ錠３６と、シリンダ錠３６のキー３７の回動操作で回動板３８を介して突出（進退）するロック板（ロック部）３９と、硬貨投入口４０とを備えたものである。硬貨返却口（図示せず）を設ける場合は、枠体内のの硬貨通路や集金ボックス１４は省略することもできる。
【００４５】
ケース本体３４がねじ止めで枠体３の垂直な壁部１３（図３）の正面側に固定される。ロッカ利用時にロック板３９が突出して扉６側の凹部に係合して施錠され、キー３７は利用者によって抜き出される。
【００４６】
図９〜図１０は、ロッカ装置３１の組立状態を示すものである。
【００４７】
各ロッカユニット１が横方向に並列に接合され、上下左右の各扉６で収容室５（図１）を閉止された各ボックス４（図１０）が上下左右に等間隔で並列に配置される。本例の各ロッカユニット１は上下の連結用の壁部２４，２４’をボルト２５で締めることで相互に連結され、左右のロッカユニット１の隣接する支持脚１９，２０は板厚方向に重なることなく、板幅方向（上下方向）に重なって省スペースで位置する。
【００４８】
枠体３の底部には集金ボックス１４が施錠されて引き出し可能に位置する。図１０で右端の支持脚１９は長く、左端の支持脚２０は短く、中間の各二枚の支持脚１９，２０は上下に重なって連結用の壁部２４の板厚の範囲内に収まっている。
【００４９】
図１１〜図１２は、各ボックス４’の底壁７ｂ’をもテーパ状に傾斜させて、ボックス４’の上下左右の壁部７ａ〜７ｄを全てテーパ状とした各ロッカユニット１’を重ねて収容した状態を示すものである。各ロッカユニット１’の他の構成や、各ロッカユニット１’を組み立てて構成されるロッカ装置の詳細については前記実施形態と同様であるので、同じ構成部分には同じ符号を付して説明を省略する。
【００５０】
各ロッカユニット１’において各ボックス４’の上下左右の周壁である各壁部７ａ〜７ｄが互いに等しい角度で傾斜しているから（例えば天壁７ａと底壁７ｂ’同士が同じ角度で傾斜し、側壁７ｃ，７ｄ同士がこれとは異なる同じ角度で傾斜していてもよい）、各ロッカユニット１’が上下方向にずれることなく重ね合わされ、各枠体３や各支持脚１９，２０が上下方向の位置ずれなく整列して位置する。図１１で符号４１はヒンジ軸２７（図７）を挿入する孔部を示す。
【００５１】
なお、上記実施形態においては、施解錠用のケーシング１２をねじ締めで枠体３に固定したが、例えばケーシング１２をワンタッチで着脱できるようにすれば（例えばケーシング自体を施解錠機構で枠体３にガタ付きなく固定する等すれば）、撤収時等に枠体３とロッカユニット本体２とを簡単に分離して収納することができる。この際、ロッカユニット本体２は扉６を外した状態で各ボックス４を一つずつ分離して重ね合わせることができる。
【００５２】
ロッカユニット１の収容室５の数に対応して枠体３の長さを数種類用意しておけば、イベント会場等におけるボックス４の必要数やロッカ装置３１の高さ方向の設置スペースに容易に対応することができる。
【００５３】
また、上記実施形態においては、枠体３に支持脚１９，２０を設けたが、支持脚１９，２０の形状はＬ字等、適宜設定可能であり、支持脚１９，２０に代えて、例えば枠体３の底部に水平方向のブラケット等や台座（図示せず）を設けたりすることも可能である。
【００５４】
また、上記実施形態においては、枠体３の左右に連結固定用の壁部２４，２４’を設けたが、この壁部２４，２４’を枠体３の側部ではなく上下端等に配置したり、あるいは枠体３同士を壁部２４，２４’以外に金属バンドや枠板等の他の手段で相互固定することも可能である。
【００５５】
また、上記実施形態においては、各ロッカユニット１を縦長に配置したが、各ロッカユニット１を横長に配置し、上下方向に重ねてロッカ装置を構成することも可能である。この場合、支持脚１９，２０は枠体３の短辺側の壁部１７，１８（図３）に設けられ、短辺側の隔壁１６（図３）が幅広に形成されて垂直に位置し、この隔壁にケーシング１２や硬貨通路が配置される。集金は例えばモータ駆動のベルト等の回収機構で枠体ごとに集金ボックスに回収される。
【図面の簡単な説明】
【００５６】
【図１】本発明に係るロッカ装置を構成するロッカユニットの一実施形態を示す斜視図である。
【図２】ロッカユニットを構成するロッカユニット本体の一実施形態を示す斜視図である。
【図３】同じくロッカユニットを構成する枠体の一実施形態を示す斜視図である。
【図４】各ロッカユニットを重ね合わせた状態を示す縦断面図である。
【図５】同じく各ロッカユニットを重ね合わせた状態を示す側面図である。
【図６】ロッカユニット本体を構成するボックスの一実施形態を示す斜視図である。
【図７】ボックスに装着される扉の一実施形態を示す斜視図である。
【図８】（ａ）は枠体に装着される施解錠用のケーシングの一実施形態を示す斜視図、（ｂ）は同じく背面図である。
【図９】各ロッカユニットで構成されるロッカ装置の一実施形態を示す正面図である。
【図１０】同じく組み立てられたロッカ装置を示す平面図である。
【図１１】ボックスの他の実施形態を用いたロッカユニットの重ね合わせ状態を示す斜視図である。
【図１２】同じくロッカユニットの重ね合わせ状態を示す断面図である。
【図１３】従来のロッカ装置の一形態を示す正面図である。
【符号の説明】
【００５７】
１，１’    ロッカユニット
３          枠体
４，４’    ボックス
６          扉
７ａ〜７ｄ  周壁
７ｂ’      底壁
８，９      壁部（外側部分）
１２        ケーシング
１３        壁部（垂直部分）
１９，２０  支持脚
２４，２４’連結用の壁部（連結部分）
３１        ロッカ装置
【図１】
2007265132.tif 000003
【図２】
2007265132.tif 000004
【図３】
2007265132.tif 000005
【図４】
2007265132.tif 000006
【図５】
2007265132.tif 000007
【図６】
2007265132.tif 000008
【図７】
2007265132.tif 000009
【図８】
2007265132.tif 000010
【図９】
2007265132.tif 000011
【図１０】
2007265132.tif 000012
【図１１】
2007265132.tif 000013
【図１２】
2007265132.tif 000014
【図１３】
2007265132.tif 000015